(57)【要約】      （修正有）【課題】連結具およびハリスの取り付けが迅速かつ容易に行うことができ、道糸からの脱落、位置ずれ等を防止することができる釣り用仕掛けの連結具を提供する。【解決手段】一端に釣針を有するハリスの他端を、道糸に支持してなる釣り用仕掛けにおいて、前記ハリスの他端を結び付けるための締結部と、前記道糸への取り付け位置を着脱自在に変更することができるように、前記締結部の両側延長部分に、先端が鋭角に折り曲げられた挟持部が一体的に形成されていることを特徴とする。【選択図】図３
0003152562.tif 000002
【実用新案登録請求の範囲】
【請求項１】
一端に釣針を有するハリスの他端を、道糸に支持してなる釣り用仕掛けにおいて、前記ハリスの他端を結び付けるための締結部と、
前記道糸への取り付け位置を着脱自在に変更することができるように、前記締結部の両側延長部分に、先端が鋭角に折り曲げられた挟持部が一体的に形成されていることを特徴とする釣り用仕掛けの連結具。
【請求項２】
前記挟持部が、前記締結部の両側延長部分に夫々２箇所以上設けられていることを特徴とする請求項１に記載の釣り用仕掛けの連結具。
【考案の詳細な説明】
【技術分野】
【０００１】  本考案は、釣り用仕掛けにおいて、一端に釣針を有するハリスの他端と道糸とを連結するために用いる、釣り用仕掛けの連結具に関するものである。
【背景技術】
【０００２】  従来、ハリスと道糸とを連結する手段としては、一般的にサルカンが用いられてきた。例えば、金属線材の両端にループ形の繋ぎ環を設け、この繋ぎ環と繋ぎ環の間の中央付近を頂点とし、繋ぎ環どうしが底辺中央付近にて水平に、かつ、上下に重なり合うようにして三角形の頭部を成形し、この重なり合った繋ぎ環の中に、金属線材の片端が釘の頭のように、かつ、この釘の頭の直径が繋ぎ環の内径よりも大きく成形された物の先端を、三角形の頭部の内側より通し、その先端にループ形の繋ぎ環を設けて形成されたヨリモドシ環と呼ばれる脚部を設けた釣用サルカンが開示されている（例えば、特許文献１参照。）。【０００３】  また、サルカンを用いないものとして、ハリスの端部に道糸の外径に比して少し大きな内径のリング状結び目部がリング形状の内径を縮小拡大させないハリスの所定の結び方によって形成され、該リング状結び目部が上記道糸の外周に旋回可能に外挿されている。一方、上記道糸には他の同質の糸を用いてリング状結び目部の両側方にリング状結び目部の内径よりも大きい外径の抜け止め結び目部が形成されている仕掛けが開示されている（例えば、特許文献２参照。）。
【先行技術文献】
【特許文献】
【０００４】
【特許文献１】  特開２００９−４５０５５号公報
【特許文献２】  特開平１０−６６４９１号公報
【考案の概要】
【考案が解決しようとする課題】
【０００５】  しかしながら、特許文献１に示す釣り用サルカンは、金属線材の両端にループ形の繋ぎ環を設けて、この繋ぎ環の一方に道糸を結び、他方の繋ぎ環にハリスを結ぶものである。また、道糸に複数のハリスを取り付ける場合は、三方向に繋ぎ環を有する親子サルカンを用いて、親サルカンの両側に道糸を結び、子サルカンにハリスを結ぶようにした仕掛けとしている。このため、サルカンに道糸またはハリスを結びつける手間がかかるだけでなく、道糸に対するハリスの取り付け位置を変更することが容易でない。したがって、釣場の状況に応じてポイントやハリスの水深を迅速に変更することができないので、十分な釣果が得られないという問題があった。【０００６】  また、特許文献２に示す仕掛けでは、道糸の任意位置に、上下に結び目を作り、この２個の結び目の間に、ハリスの端部を、道糸の外径よりも大きく結び目よりは小さい内径のリング状結び目として、前記道糸の結び目間に取り付けたものである、このため、前記同様に、釣場の状況に応じてポイントやハリスの水深を迅速に変更することができないので、十分な釣果が得られないという問題があった。
【課題を解決するための手段】
【０００７】  本考案の釣り用仕掛けの連結具は、道糸の任意位置に着脱自在に、一端に釣針を有するハリスの他端を取り付けるものである。連結具は、前記ハリスの他端を結び付けるための締結部と、前記道糸への取り付け位置を着脱自在に変更することができるように、前記締結部の両側延長部分に、先端が鋭角に折り曲げられた挟持部が一体的に形成されていることを特徴としている。これによれば、道糸を挟持部に挿通して先端の鋭角部に引き寄せれば、連結具を道糸に固定することができるため、連結具およびハリスの取り付けが迅速、かつ、容易に行うことができる。したがって、釣場の状況に応じてポイントやハリスの水深を迅速に変更することができるので、十分な釣果を得ることが可能となる。【０００８】  また、本考案の連結具は、前記挟持部が、前記締結部の両側延長部分に夫々２箇所以上設けられていることを特徴としている。これによれば、連結具と道糸との取り付けが、より強固となるので、連結具の道糸からの脱落、位置ずれ等を防止することができる。
【考案の効果】
【０００９】  本考案の釣り用仕掛けの連結具によれば、道糸を挟持部に挿通して先端の鋭角部に引き寄せれば、連結具を道糸に固定することができるため、連結具およびハリスの取り付けが迅速、かつ、容易に行うことができる。したがって、釣場の状況に応じてポイントやハリスの水深を迅速に変更することができるので、十分な釣果を得ることが可能となる。また、前記挟持部が、前記締結部の両惻延長部分に夫々２箇所以上設けられていると、連結具と道糸との取り付けが、より強固となるので、連結具の道糸からの脱落、位置ずれ等を防止することができる。
【図面の簡単な説明】
【００１０】
【図１】  本考案の連結具の使用状態を示す平面図である。
【図２】  本考案の連結具を示す平面図である。
【図３】  本考案の連結具の他の実施形態を示す平面図である。
【図４】  連結具に道糸を通す形態を示す説明図であり、（ａ）はハリス連結部とは反対側の挟持部に道糸を通したもの、（ｂ）はハリス連結部と同じ側の挟持部に道糸を通したもの、（ｃ）は道糸を連結具の挟持部に巻回したもの、（ｄ）は（ｃ）のＸ部拡大図である。
【考案を実施するための形態】
【００１１】  本考案の実施形態について、図面に基づいて説明する。図１において、釣り用仕掛けは所定長さの道糸５の任意位置に連結具１が取り付けられており、前記連結具１の締結部２に一端に釣針を有するハリス６の他端が結び付けられる。連結具１は、一端に釣針を有するハリス６の他端を結び付ける締結部２と、道糸５を係止する挟持部３が線材により一体的に形成されている。連結具１は、比較的加工が容易な真鍮、銅、鋼あるいはステンレス鋼等の線材を曲げ加工したものであり、海水等により発錆する鋼線材については、塗装やメッキ加工をすることも可能である。なお、連結具１の大小や線材の線径については、魚種に合わせて任意に設定することができる。
【００１２】  図２、図３に示すように、連結具１，１ａは締結部２の両側に、先端が鋭角に折れ曲がった複数の挟持部３が一体的に形成されている。この挟持部３は開放端４が幅広であり、先端部に向かって狭小となり、先端部分の挟持部３は道糸を挟持して一時的に固定できるようにスリットが形成されており弾性機能を有している。また、道糸は締結部２側の挟持部３に通してもよく、締結部２側とは反対側の挟持部３に通してもよい。
【００１３】  図４に基づいて、道糸に連結具を挟持する手順について説明する。図４（ａ）において、連結具を構成する線条に対して道糸（一点鎖線で表示）５ｂを交互に潜らせて道糸５ｂに連結具を係止し、次に、片方の手指で締結部２を持ち、他方の手指で道糸５ｂの片側または両側を持って矢印方向に道糸５ｂを引っ張って挟持部３に移動させると、道糸（実線で表示）５ａは連結具に一時的に固定される。また、道糸５ａから連結具２を外すときは、片方の手指で締結部２を持ち、他方の手指で道糸（実線で示）５ａの片側または両側を持って、矢印とは逆方向に道糸５ａを引っ張って挟持部３から道糸５ａを移動させると、道糸（一点鎖線で表示）５ｂから連結具１を容易に取り外すことができる。これらの動作を繰り返すことにより、漁場や魚種に対応して、一端に釣針を有するハリス６の他端を迅速かつ容易に道糸５ａの所望位置に取り付または取り付け位置の変更を行うことができる。したがって、予め、一端に釣針を有するハリス６の他端を本考案の連結具に締結した仕掛けを所望数準備しておけば、十分な釣果を得ることができる可能性がある。
【００１４】  図４（ｂ）は、道糸５ａを締結部２と同一側に挟持した取り付け例を示したものである。また図４（ｃ）は、挟持部２に道糸５ａを巻回した後、挟持部２に一時的に固定した取り付け例を示したものである。図４（ｃ）によれば、連結具と道糸５ａとの取り付けが、より強固となるので、連結具の道糸５ａからの脱落、位置ずれ等を防止することができる。
【産業上の利用可能性】
【００１５】  本考案の連結具は、大きさや線材の太さを、対象魚や魚場に合わせて適宜最適なものを用いることができるので、殆どの魚類を対象とした釣り用仕掛けの連結具として広く利用する子とができる。
【符号の説明】
【００１６】  １、１ａ  連結具
２  締結部
３  挟持部
４  開放端
５、５ａ  道糸（実線）
５ｂ  道糸（一点鎖線）
６  ハリス
【図１】
0003152562.tif 000003
【図２】
0003152562.tif 000004
【図３】
0003152562.tif 000005
【図４】
0003152562.tif 000006